(57)【要約】【課題】  内視鏡装置に分光特性測定部を設けることにより、内視鏡装置を用いた検査と平行して検体の生化学検査を可能とする。【解決手段】  吸引管２３の途中に検体の分光特性を測定するための分光特性測定部（分析部１００）を設ける。分光特性測定部の分光器は、光入力側から順に、第１スラブ導波路、アレイ導波路、および第２スラブ導波路を有し、第１スラブ導波路中に、検体の流路を設ける。分光特性測定部の上流側に、採取した液状物から検体を分離するための検体分離部と、分離された検体に試薬を添加するための試薬添加部とを備える。検体分離部の上流側に、採取した液状物から不要成分を取り除くためのフィルタ９３を配設する。【選択図】          図１
2005270522.tif 000002
【特許請求の範囲】
【請求項１】
検体を含む液状物を採取するための採取用チャネルを有する内視鏡スコープを備えた検体検査機能付き内視鏡装置であって、
前記採取用チャネルの下流側に前記検体の分光特性を測定するための分光特性測定部を備えたことを特徴とする検体検査機能付き内視鏡装置。
【請求項２】
前記分光特性測定部の分光器は、光入力側から順に、第１スラブ導波路、アレイ導波路、および第２スラブ導波路を有し、前記第１スラブ導波路中に、前記検体の流路が設けられていることを特徴とする請求項１記載の検体検査機能付き内視鏡装置。
【請求項３】
前記分光特性測定部の上流側に、採取した前記液状物から前記検体を分離するための検体分離部と、分離された前記検体に試薬を添加するための試薬添加部とを備えたことを特徴とする請求項１または２記載の検体検査機能付き内視鏡装置。
【請求項４】
前記検体分離部の上流側に、採取した前記液状物から不要成分を取り除くためのフィルタ部を配設したことを特徴とする請求項３記載の検体検査機能付き内視鏡装置。
【発明の詳細な説明】
【技術分野】
【０００１】
本発明は、採取した液状検体の分光特性に基づいて液状検体の成分濃度等を測定するための検体検査機能付き内視鏡装置に関する。
【背景技術】
【０００２】
従来、胃、大腸、十二指腸等の体腔内臓器を観察するための内視鏡装置が種々提案されている（例えば、特許文献１参照）。
【０００３】
また、内視鏡装置を用いた検査に付随して、内視鏡スコープの採取用チャネルを用いて血液等の検体を採取し、その生化学的検査を行うことがある。この場合、採取した検体を検査室等に持ち込んで専用の検体検査装置を用いて解析を行い、後日、被験者に検査結果を説明していた。
【０００４】
【特許文献１】特開２００３−２８４６７６号公報
【発明の開示】
【発明が解決しようとする課題】
【０００５】
しかしながら、従来の内視鏡装置を用いた検査態勢では、検体の生化学的検査の結果が判明するまでに数日を要し、検査当日に被験者に対して検査結果を報告することができない。このため、被験者は検査結果の説明を受けるために、後日、再び検査機関に赴かねばならず面倒であった。
【０００６】
また、検査結果によっては、さらに内視鏡装置を用いた再検査を行わなければならない場合もあり、検査者および被験者の双方にとって負担が大きいものとなっていた。
【０００７】
本発明は、上述した事情に鑑み提案されたもので、内視鏡装置を用いた検査と平行して検体の生化学検査が可能な内視鏡装置を提供することを目的とする。
【課題を解決するための手段】
【０００８】
本発明の検体検査機能付き内視鏡装置は、上記目的を達成するため、検体を含む液状物を採取するための採取用チャネルを有する内視鏡スコープを備えた検体検査機能付き内視鏡装置であって、前記採取用チャネルの下流側に前記検体の分光特性を測定するための分光特性測定部を備えたことを特徴とするものである。
【０００９】
また、前記分光特性測定部の分光器は、光入力側から順に、第１スラブ導波路、アレイ導波路、および第２スラブ導波路を有し、前記第１スラブ導波路中に、前記検体の流路が設けられていることが好ましい。
【００１０】
また、前記分光特性測定部の上流側に、採取した前記液状物から前記検体を分離するための検体分離部と、分離された前記検体に試薬を添加するための試薬添加部とを備えることが好ましい。
【００１１】
また、前記検体分離部の上流側に、採取した前記液状物から不要成分を取り除くためのフィルタ部を配設することが好ましい。
【発明の効果】
【００１２】
本発明の検体検査機能付き内視鏡装置は、分光特性測定部を備えているため、内視鏡装置を用いた検査を行いながら、同時に採取した検体の生化学的検査を行うことができる。
【００１３】
また、分光器としてアレイ導波路を用いることにより、分光特性測定部を小型化、軽量化することができ、取り扱いやすい内視鏡装置とすることができる。
【００１４】
また、検体分離部を備えることにより、例えば血液のように、採取した液状物をそのまま検体として使用することができない場合、あるいは採取した液状物をそのまま検体として使用すると正確な測定を行うことができない場合であっても、確実かつ正確な測定を行うことができる。
【００１５】
また、試薬添加部を備えることにより、例えば、血液のように、検体に試薬を添加する必要がある場合であっても、確実かつ正確な測定を行うことができる。
【００１６】
また、フィルタ部を設けることにより、検体から不純物を取り除くことができ、さらに確実かつ正確な測定を行うことができる。
【発明を実施するための最良の形態】
【００１７】
以下、図面に示す具体的な実施例を参照して、本発明の検体検査機能付き内視鏡装置の実施形態を説明する。
【００１８】
＜実施例１＞
図１は、本発明の実施例１に係る内視鏡装置の概略構成を示すもので、図１（ａ）は全体の構成を示す概略模式図、図１（ｂ）はプロセッサ部付近を示す概略模式図である。
【００１９】
本発明の実施例１に係る内視鏡装置は、図１（ａ）に示すように、先端に対物レンズ（図示せず）を有する内視鏡スコープ１０と、この内視鏡スコープ１０に接続されたプロセッサ部８０を備えている。
【００２０】
内視鏡スコープ１０は、人体等の内部に挿入するためのプローブ１１と、送水・送気、吸引等の操作を行うための操作部１２とを備えている。プローブ１１は、その内部に、光情報を伝達するための光ファイバ（図示せず）、検体を含む液状物を採取するための吸引チャネル１３、および送水・送気チャネル１４を備えており、内視鏡スコープ１０の基端側は、接続菅２０およびＬＧコネクタ３０を介してプロセッサ部８０に連通接続されている。
【００２１】
操作部１２は、検体等の吸引、洗浄水の送出およびエアーの送出を操作するための部分で、吸引ボタン１５および送水・送気ボタン１６を備えており、送水・送気ボタン１６あるいは吸引ボタン１５を操作することにより菅路が連通状態と遮蔽状態とに切り替わり、洗浄水およびエアーの送出あるいは検体等の吸引を行うことができるようになっている。
【００２２】
ＬＧコネクタ３０は、菅路等を分岐するための部分で、送水管２１、送気管２２、吸引管２３、および光ファイバ２４が分岐して接続されている。そして、送水管２１は送水タンク４０に連通接続され、送気管２２はエアーコンプレッサ５０に連通接続され、吸引管２３は吸引器６０に連通接続され、光ファイバ２４は光源７０および信号処理部（図示せず）に接続されている。なお、エアーコンプレッサ５０は、プロセッサ部８０の内部に配設されている。
【００２３】
プロセッサ部８０の内部では、吸引管２３が２つの系統２３ａ，２３ｂに分岐された後、再び合流されており、一方の吸引管２３ａの途中に第１電磁弁９１が接続され、他方の吸引管２３ｂの途中に、ＬＧコネクタ３０側から順に、第２電磁弁９２、フィルタ９３、および分析部１００が接続されている。
【００２４】
実施例１の内視鏡装置を用いた一般的な検査を行う場合には、第１電磁弁９１を開き、第２電磁弁９２を閉じることにより、ＬＧコネクタ３０と吸引器６０が直接接続され、吸引チャネル１３を介して検査の妨げとなる体液等が吸引される。
【００２５】
また、検体を採取して分光特性を測定する場合には、第１電磁弁９１を閉じ、第２電磁弁９２を開くことにより、吸引された液状物がフィルタ９３を介して分析部１００に導かれる。
【００２６】
＜分析部＞
次に、図２を参照して、分析部１００について説明する。図２は、分析部１００の概略構成を示すブロック図である。
【００２７】
分析部１００は、図２に示すように、採取した液状物から検体を分離するための検体分離部１１０と、分離された検体に試薬を添加するための試薬添加部１２０と、試薬が添加された検体の分光特性を測定するための分光特性測定部１３０とを備えている。
【００２８】
本実施形態の内視鏡装置により生化学的検査を行う液状物は、例えば、血液、胃液、膵液、胆液、リンパ液、脳脊髄液、尿等である。
【００２９】
＜検体分離部＞
検体分離部１１０は、採取した液状物から検体を分離するための部分で、例えば血液を採取して生化学的検査を行う場合には、検体分離部１１０において血清が分離される。検体分離部１１０の構造は、採取した液状物および分離すべき検体により異なる。例えば血液から血清を分離する場合には、採取した血液に対して血清分離剤、凝固促進剤等を添加した後、遠心分離等を行って上清を採取することにより血清の分離が行われる。
【００３０】
なお、検体を分離する必要がない液状物のみを用いて検査を行う場合には、検体分離部１１０を省略することができる。
【００３１】
＜試薬添加部＞
試薬添加部１２０は、生化学的検査の目的に応じて適宜選択された試薬を添加するための部分で、例えば血清を検体として使用し、コレステロール、ＡＳＴ、ＡＬＴ、ＬＤＨ等の検査を行う場合には、各検査項目に適応した試薬が添加される。
【００３２】
なお、試薬を添加する必要がない液状物のみを用いて検査を行う場合には、試薬添加部１２０を省略することができる。
【００３３】
＜分光特性測定部＞
次に、図３を参照して、分光特性測定部１３０について説明する。図３は、分光特性測定部１３０の概略構成を示す模式図である。
【００３４】
分光特性測定部１３０の分光器は、図３に示すように、光入力側から順に、第１スラブ導波路１３１、アレイ導波路（Arrayed Waveguide
Grating）１３２、および第２スラブ導波路１３３を有しており、第１スラブ導波路１３１中に、検体流路１３４が設けられている。
【００３５】
アレイ導波路１３２は、略Ｕ字状に屈曲しているため、屈曲部の内周側から外周側へ向かって導波路の長さが徐々に長くなっている。そして、この位相ズレを利用して、波長の合成および分岐を行うようになっている（第２８回光学シンポジウム（講演番号３４）：２００３／６／２０、第１０３頁〜第１０４頁参照）。
【００３６】
採取した検体は、検体分離部１１０で検体が分離され、試薬添加部１２０で試薬が添加され、分光特性測定部１３０へ送られる。分光特性測定部１３０では、第１スラブ導波路１３１に設けた検体流路１３４に検体が導かれる。
【００３７】
また、光源１３５（例えば白色光源）からの光線が光ファイバ１３６により第１スラブ導波路１３１へ導かれ、検体に照射された後、アレイ導波路１３２、および第２スラブ導波路１３３を経て光検出器１３７へ導かれる。光検出器１３７で検出された光信号は信号処理部１４０により処理されて、分光特性が測定される。
【００３８】
この際、事前に第１スラブ導波路１３１の検体流路１３４に検体が存在しない場合の光源光束を分光して、装置関数を測定しておく。そして、第１スラブ導波路１３１の検体流路１３４に検体が存在する場合の透過光束を分光して透過スペクトルを算出する。この透過スペクトルには検体情報が担持されているため、事前に装置関数として測定しておいた数値と比較することにより、検体情報を数値として得ることができる。
【００３９】
この実施例１の内視鏡装置によれば、分析部１００を備えた専用の光源装置を用いなければならないものの、既存の内視鏡装置に若干の改変を加えるだけで本実施例の内視鏡装置とすることができ、製造コストの上昇を抑制することができる。また、各菅路の接続方法は、一般的に普及している既存の内視鏡装置と同様であるため、検査の準備等が容易となる。
【００４０】
＜実施例２＞
図４は、本発明の実施例２に係る内視鏡装置の概略構成を示すもので、図４（ａ）は全体の構成を示す概略模式図、図４（ｂ）は測定装置を示す概略模式図である。
【００４１】
本発明の実施例２に係る内視鏡装置は、上述した実施例１と比較して、プロセッサ部８０と分析部１００とを別体として設けた点が相違する。以下、実施例１と相違する部分についてのみ説明し、その他の部分には、図１と同一の符号を付して説明を省略する。
【００４２】
すなわち、本発明の実施例２に係る内視鏡装置は、図４（ａ）に示すように、先端に対物レンズ（図示せず）を有する内視鏡スコープ１０と、この内視鏡スコープ１０に接続されたプロセッサ部８０および測定装置２００とを備えている。
【００４３】
内視鏡スコープ１０は、実施例１のものとほぼ同様となっているが、ＬＧコネクタ３０に接続された吸引管２３は、プロセッサ部８０の内部に導かれるのではなく、測定装置２００へ連通接続されている。
【００４４】
測定装置２００の内部では、吸引管２３が２つの系統２３ａ，２３ｂに分岐された後、再び合流されており、一方の吸引管２３ａの途中に第１電磁弁９１が接続され、他方の吸引管２３ｂの途中に、ＬＧコネクタ３０側から順に、第２電磁弁９２、フィルタ９３、および分析部１００が接続されている。
【００４５】
実施例２の内視鏡装置を用いた一般的な検査を行う場合には、第１電磁弁９１を開き、第２電磁弁９２を閉じることにより、ＬＧコネクタ３０と吸引器６０が直接接続され、吸引チャネル１３を介して検査の妨げとなる体液等が吸引される。
【００４６】
また、検体を採取して分光特性を測定する場合には、第１電磁弁９１を閉じ、第２電磁弁９２を開くことにより、吸引された液状物がフィルタ９３を介して分析部１００に導かれる。
【００４７】
なお、第１電磁弁９１および第２電磁弁９２の切替スイッチ２１０ａは、分析部１００の筐体の外面に設けてもよいが、延長コードを介して分析部１００に接続されたフットスイッチ２１０ｂにより切替を行ってもよい。このようにフットスイッチ２１０ｂを用いることにより、内視鏡装置から手を離さずに電磁弁９１，９２を切り替えることができ、内視鏡装置の操作性が向上する。
【００４８】
この実施例２の内視鏡装置によれば、専用の測定装置２００を用いなければならないものの、既存の内視鏡装置の光源装置をそのまま用いることができるので、製造コストの上昇を抑制することができる。また、各菅路の接続方法は、一般的に普及している既存の内視鏡装置と若干異なるが、簡単な接続を行うだけであるため、一般的に普及している既存の内視鏡装置を扱ったことがある者であれば容易に操作を行うことができる。
【００４９】
＜実施例３＞
図５は、本発明の実施例３に係る内視鏡装置の概略構成を示すもので、図５（ａ）は全体の構成を示す概略模式図、図５（ｂ）は測定装置を示す概略模式図である。
【００５０】
本発明の実施例３に係る内視鏡装置は、上述した実施例１と比較して、プロセッサ部８０と分析部１００とを別体として設けた点、および検体を吸引するための検体吸引管３２０を鉗子挿入菅１７内に挿入して使用する点が相違する。以下、実施例１と相違する部分についてのみ説明し、その他の部分には、図１と同一の符号を付して説明を省略する。
【００５１】
すなわち、本発明の実施例３に係る内視鏡装置は、図５（ａ）に示すように、先端に対物レンズ（図示せず）を有する内視鏡スコープ１０と、この内視鏡スコープ１０に接続されたプロセッサ部８０および測定装置３００とを備えている。
【００５２】
内視鏡スコープ１０は、プローブ１１の内部に鉗子挿入菅１７が設けられるとともに、操作部１２に鉗子を挿入するための鉗子口１８が設けられている。
【００５３】
接続菅２０を介して操作部１２と接続されたＬＧコネクタ３０は、送水管２１、送気管２２、吸引管２３、および光ファイバ２４が分岐して接続されている。そして、送水管２１は送水タンク４０へ連通接続され、吸引管２３は吸引器６０へ連通接続され、光ファイバ２４はプロセッサ部８０内に取り込まれて光源７０および信号処理部（図示せず）に接続されている。
【００５４】
実施例３では、検体吸引管３２０の先端部が鉗子口１８から鉗子挿入菅１７内へ挿入され、検体吸引管３２０の基端部は測定装置３００へ連通接続される。
【００５５】
測定装置３００の内部では、検体吸引管３２０の途中に、上流側から順に、測定用電磁弁９４、フィルタ９３、および分析部１００が接続されており、検体吸引管３２０の下流側が吸引器６０へ接続されている。
【００５６】
実施例３の内視鏡装置を用いた一般的な検査を行う場合には、測定用電磁弁９４を閉じた状態とする。
【００５７】
また、検体を採取して分光特性を測定する場合には、測定用電磁弁９４を開くことにより、吸引された液状物がフィルタ９３を介して分析部１００に導かれる。
【００５８】
なお、測定用電磁弁９４の切替スイッチ３１０ａは、分析部１００の筐体の外面に設けてもよいが、延長コードを介して分析部１００に接続されたフットスイッチ３１０ｂにより切り替えを行ってもよいことは、実施例２と同様である。
【００５９】
この実施例３の内視鏡装置によれば、専用の測定装置３００を用いなければならないものの、既存の内視鏡装置の光源装置をそのまま用いることができるので、製造コストの上昇を抑制することができる。また、検体吸引管３２０の取り扱いは、既存の内視鏡装置に用いている他の処置具と同様であるため、一般的に普及している既存の内視鏡装置を扱ったことがある者であれば容易に操作を行うことができる。また、各菅路の接続方法は、一般的に普及している既存の内視鏡装置と同様であるため、検査の準備等が容易となる。
【００６０】
＜実施例４＞
図６は、本発明の実施例４に係る内視鏡装置の概略構成を示すもので、図６（ａ）は全体の構成を示す概略模式図、図６（ｂ）は測定装置を示す概略模式図である。
【００６１】
本発明の実施例４に係る内視鏡装置は、上述した実施例１と比較して、プロセッサ部８０と分析部１００とを別体として設けた点、および検体を吸引するための専用の検体採取専用チャネル１９を設けた点が相違する。以下、実施例１と相違する部分についてのみ説明し、その他の部分には、図１および図５と同一の符号を付して説明を省略する。
【００６２】
すなわち、本発明の実施例４に係る内視鏡装置は、図６（ａ）に示すように、先端に対物レンズ（図示せず）を有する内視鏡スコープ１０と、この内視鏡スコープ１０に接続されたプロセッサ部８０および測定装置３００とを備えている。
【００６３】
内視鏡スコープ１０は、人体等の内部に挿入するためのプローブ１１と、送水・送気、吸引等の操作を行うための操作部１２とを備えている。プローブ１１は、その内部に、光情報を伝達するための光ファイバ（図示せず）、検査の妨げとなる体液等を吸引するための吸引チャネル１３、検体を含む液状物を採取するための検体採取専用チャネル１９、および送水・送気チャネル１４を備えており、内視鏡スコープ１０の基端側は、接続菅２０およびＬＧコネクタ３０を介してプロセッサ部８０に連通接続されている。
【００６４】
操作部１２は、検体等の吸引、空気および洗浄水の送出を操作するための部分で、送水・送気ボタン１６、吸引ボタン１５、および検体採取ボタン３３０を備えており、送水・送気ボタン１６、吸引ボタン１５、あるいは検体採取ボタン３３０を操作することにより菅路が連通状態と遮蔽状態とに切り替わり、洗浄水およびエアーの送出、検体の採取、検査の妨げとなる体液等の吸引を行うことができるようになっている。
【００６５】
接続菅２０を介して操作部１２と接続されたＬＧコネクタ３０から下流側の構造は、上述した実施例３のものとほぼ同様となっているが、測定用電磁弁は設けられていない。
【００６６】
実施例４の内視鏡装置を用いた一般的な検査を行う場合には、検体採取専用チャネル１９を遮蔽状態とする。
【００６７】
また、検体を採取して分光特性を測定する場合には、検体採取ボタン３３０を操作して検体採取専用チャネル１９を連通状態とすることにより、吸引された液状物が検体吸引管３２０およびフィルタ９３を介して分析部１００に導かれる。
【００６８】
この実施例４の内視鏡装置によれば、専用のプローブ１１や測定装置３００を用いなければならないものの、既存の内視鏡装置の光源装置をそのまま用いることができるので、製造コストの上昇を抑制することができる。また、各菅路の接続方法は、一般的に普及している既存の内視鏡装置と若干異なるが、簡単な接続を行うだけであるため、既存の内視鏡装置とほぼ同様の操作を行うことができる。また、検体を採取するためのバルブの操作方法は、吸引に用いるバルブの操作方法とほぼ同様であるため、一般的に普及している既存の内視鏡装置を扱ったことがある者であれば容易に操作を行うことができる。
【図面の簡単な説明】
【００６９】
【図１】本発明の実施例１に係る内視鏡装置の全体構成を示す概略模式図（ａ）、およびプロセッサ部付近を示す概略模式図（ｂ）
【図２】分析部の概略構成を示すブロック図
【図３】分光特性測定部の概略構成を示す模式図
【図４】本発明の実施例２に係る内視鏡装置の全体構成を示す概略模式図（ａ）、および測定装置を示す概略模式図（ｂ）
【図５】本発明の実施例３に係る内視鏡装置の全体構成を示す概略模式図（ａ）、および測定装置を示す概略模式図（ｂ）
【図６】本発明の実施例４に係る内視鏡装置の全体構成を示す概略模式図（ａ）、および測定装置を示す概略模式図（ｂ）
【符号の説明】
【００７０】
１０      内視鏡スコープ
１１      プローブ
１２      操作部
１３      吸引チャネル
１４      送水・送気チャネル
１５      吸引ボタン
１６      送水・送気ボタン
１７      鉗子挿入菅
１８      鉗子口
１９      検体採取専用チャネル
２０      接続菅
２１      送水管
２２      送気管
２３，２３ａ，２３ｂ      吸引管
２４      光ファイバ
３０      ＬＧコネクタ
４０      送水タンク
５０      エアーコンプレッサ
６０      吸引器
７０      光源
８０      プロセッサ部
９１      第１電磁弁
９２      第２電磁弁
９３      フィルタ
９４      測定用電磁弁
１００      分析部
１１０      検体分離部
１２０      試薬添加部
１３０      分光特性測定部
１３１      第１スラブ導波路
１３２      アレイ導波路
１３３      第２スラブ導波路
１３４      検体流路
１３５      光源
１３６      光ファイバ
１３７      光検出器
１４０      信号処理部
２００  測定装置
２１０ａ  切替スイッチ
２１０ｂ  フットスイッチ
３００  測定装置
３１０ａ  切替スイッチ
３１０ｂ  フットスイッチ
３２０  検体吸引管
３３０  検体採取ボタン
【図１】
2005270522.tif 000003
【図２】
2005270522.tif 000004
【図３】
2005270522.tif 000005
【図４】
2005270522.tif 000006
【図５】
2005270522.tif 000007
【図６】
2005270522.tif 000008